(57)【特許請求の範囲】
【請求項１】
効率的なスペクトル使用法を拡張可能な搬送波配置において提供するための、少なくとも１つのネットワークノードによって実行される方法であって、
（ａ）１つ以上の基準搬送波及び（ｂ）１つ以上の搬送波拡張部又は１つ以上の搬送波セグメントを特定することと、
前記特定された１つ以上の基準搬送波及び前記特定された１つ以上の搬送波拡張部又は１つ以上の搬送波セグメントを集約周波数帯域に集約することと、
前記集約周波数帯域を少なくとも１つのユーザ機器（ＵＥ）装置にプロビジョニングすることと、を含み、
前記特定された１つ以上の搬送波拡張部又は１つ以上の搬送波セグメントは、制御シグナリングオーバーヘッドを低減する１つ以上の自己内蔵型参照信号を含み、
前記集約周波数帯域は、１つ以上の保護帯域リソースブロックを含み、
各保護帯域リソースブロックは、前記１つ以上の基準搬送波に関連した少なくとも１つの周波数帯域と、前記１つ以上の搬送波拡張部又は前記１つ以上の搬送波セグメントに関連した少なくとも１つの周波数帯域と、の間に配置され、又は、前記集約周波数帯域の周辺部に追加配置され、
前記自己内蔵型参照信号の少なくとも一部は、前記１つ以上の保護帯域リソースブロックの少なくとも一部を拡張する、方法。
【請求項２】
前記１つ以上の基準搬送波及び前記１つ以上の搬送波拡張部又は１つ以上の搬送波セグメントの特定は、ピアツーピア式で、複数のネットワーク基地局により少なくとも部分的に実行される、請求項１に記載の方法。
【請求項３】
前記１つ以上の基準搬送波及び前記１つ以上の搬送波拡張部又は１つ以上の搬送波セグメントの特定は、１つ以上のネットワーク基地局と通信するように構成される集中ネットワーク局により少なくとも部分的に実行される、請求項１に記載の方法。
【請求項４】
前記１つ以上の基準搬送波は、少なくとも１つの完全に構成された後方互換性を有する基準搬送波を含み、
前記１つ以上の搬送波拡張部又は１つ以上の搬送波セグメントは、前記１つ以上の基準搬送波の後方互換性を有する搬送波リソース追加部ではない、請求項１に記載の方法。
【請求項５】
前記１つ以上の搬送波拡張部又は１つ以上の搬送波セグメントは、セル固有参照信号なしに構成される、請求項１に記載の方法。
【請求項６】
前記１つ以上の搬送波拡張部又は１つ以上の搬送波セグメントは、１次同期シンボル（ＰＳＳ）又は２次同期シンボル（ＳＳＳ）を含むように構成され、
前記ＰＳＳ又は前記ＳＳＳは、不連続周波数分離が前記１つ以上の基準搬送波及び前記１つ以上の搬送波拡張部又は１つ以上の搬送波セグメントとの間に存在するときに、前記１つ以上の搬送波拡張部又は１つ以上の搬送波セグメントのための時間基準を示す、請求項１に記載の方法。
【請求項７】
前記１つ以上の自己内蔵型参照信号は、１つ以上の復調参照信号、又は、１つ以上のチャネル状態情報参照信号を含む、請求項１に記載の方法。
【請求項８】
前記１つ以上の自己内蔵型参照信号は、前記ＵＥ装置が少なくとも１つの制御チャネル又は少なくとも１つのデータチャネルのチャネル状態推定及び同期検波を実行することを可能にする１つ以上のＵＥ機器特有の参照信号を含む、請求項１に記載の方法。
【請求項９】
前記集約周波数帯域は、仮想化された広帯域搬送波として動作することができる、請求項１に記載の方法。
【請求項１０】
拡張可能な搬送波配置を使用して動作するように構成されたモバイル装置であって、
少なくとも１つの送受信器と、
前記少なくとも１つの送受信器に結合された１つ以上のプロセッサと、
前記１つ以上のプロセッサにより実行されるとき、前記モバイル装置に、
１つ以上の基準搬送波及び１つ以上の搬送波拡張部を集約通信において受信させ、
前記集約通信の一部として１つ以上の保護帯域リソースブロックを受信させ、
前記１つ以上の基準搬送波が周波数領域において前記１つ以上の搬送波拡張部と隣接しているかどうかを判断させ、
前記判断に少なくとも部分的に基づいて、前記モバイル装置のための１つ以上の受信モードを選択させる、
コンピュータ実行可能な命令を記憶する記憶装置と、を備え、
前記１つ以上の搬送波拡張部は、制御シグナリングオーバーヘッドを低減する１つ以上の自己内蔵型参照信号を含み、
前記１つ以上の保護帯域リソースブロックの各保護帯域リソースブロックは、前記１つ以上の基準搬送波に関連した少なくとも１つの周波数帯域と、前記１つ以上の搬送波拡張部又は前記１つ以上の搬送波セグメントに関連した少なくとも１つの周波数帯域と、の間に配置され、又は、前記集約通信の周辺部の周波数帯域に追加配置され、
前記自己内蔵型参照信号の少なくとも一部は、前記１つ以上の保護帯域リソースブロックの少なくとも一部を拡張する、モバイル装置。
【請求項１１】
前記１つ以上の搬送波拡張部の前記１つ以上の自己内蔵型参照信号は、１つ以上の復調参照信号又は１つ以上のチャネル状態情報参照信号を含む、請求項１０に記載のモバイル装置。
【請求項１２】
前記１つ以上の搬送波拡張部の前記１つ以上の自己内蔵型参照信号は、前記モバイル装置に関連した１つ以上のユーザ装置固有参照信号を含む、請求項１０に記載のモバイル装置。
【請求項１３】
前記１つ以上の搬送波拡張部は、セル固有参照信号なしに構成される、請求項１０に記載のモバイル装置。
【請求項１４】
ロングタームエボリューション（ＬＴＥ）対応の無線通信ネットワークにおいて使用される基地局装置であって、
前記ＬＴＥ対応の無線通信ネットワークを介して複数の無線機器と通信するように構成可能である少なくとも１つの無線インターフェースと、
前記少なくとも１つの無線インターフェースに結合された１つ以上のプロセッサと、
前記１つ以上のプロセッサにより実行されたとき、前記基地局装置に、
少なくとも１つの他の基地局装置により供給された１つ以上の基準搬送波を特定させ、
１つ以上の搬送波拡張部を生成させ、
前記特定された１つ以上の基準搬送波及び前記１つ以上の生成された搬送波拡張部を集約周波数帯域に集約させる、
コンピュータ実行可能な命令を記憶する記憶装置と、を備え、
前記１つ以上の搬送波拡張部は、制御シグナリングオーバーヘッドを低減する１つ以上の自己内蔵型参照信号を含み、
前記集約周波数帯域は、１つ以上の保護帯域リソースブロックを含み、
各保護帯域リソースブロックは、前記１つ以上の基準搬送波に関連した少なくとも１つの周波数帯域と、前記１つ以上の搬送波拡張部又は前記１つ以上の搬送波セグメントに関連した少なくとも１つの周波数帯域と、の間に配置され、又は、前記集約周波数帯域の周辺部に追加配置され、
前記自己内蔵型参照信号の少なくとも一部は、前記１つ以上の保護帯域リソースブロックの少なくとも一部を拡張する、基地局装置。
【請求項１５】
効率的なスペクトル使用法を拡張可能な搬送波配置において提供する無線システムであって、
複数の基地局と、
複数のモバイル機器と、を備え、
前記複数の基地局の１つ以上の基地局は、１つ以上の基準搬送波を少なくとも１つのモバイル機器に供給することにより、セルラーネットワークサービスを前記複数のモバイル機器の前記少なくとも１つのモバイル機器に供給するように構成され、前記複数の基地局の１つ以上の基地局は、１つ以上の搬送波拡張部を前記少なくとも１つのモバイル機器に供給するように構成され、
前記１つ以上の搬送波拡張部は、制御シグナリングオーバーヘッドを低減する１つ以上の自己内蔵型参照信号を含み、
前記複数の基地局の１つ以上の基地局は、前記１つ以上の搬送波拡張部と、前記１つ以上の基準搬送波と、１つ以上の保護帯域リソースブロックと、を含む集約周波数帯域を形成し、
各保護帯域リソースブロックは、前記１つ以上の基準搬送波に関連した少なくとも１つの周波数帯域と、前記１つ以上の搬送波拡張部に関連した少なくとも１つの周波数帯域と、の間に配置され、又は、前記集約周波数帯域の周辺部に追加配置され、
前記自己内蔵型参照信号の少なくとも一部は、前記１つ以上の保護帯域リソースブロックの少なくとも一部を拡張する、無線システム。
【請求項１６】
前記集約周波数帯域は、前記１つ以上の基準搬送波に関連した少なくとも１つの周波数帯域と前記１つ以上の搬送波拡張部に関連した少なくとも１つの周波数帯域との間の最小限に抑えられた周波数間隙間隔を有する連続周波数帯域幅を形成する、請求項１５に記載の無線システム。
【請求項１７】
前記集約周波数帯域は、前記１つ以上の基準搬送波に関連した少なくとも１つの周波数帯域と前記１つ以上の搬送波拡張部に関連した少なくとも１つの周波数帯域との間の不連続周波数帯域幅を形成する、請求項１５に記載の無線システム。
【請求項１８】
拡張可能な搬送波配置を使用する無線システム内で動作するモバイル機器により実行される方法であって、
１つ以上の基準搬送波と、１つ以上の搬送波拡張部と、１つ以上の保護帯域リソースブロックと、を含む集約通信を受信することと、
前記集約通信を評価することと、
前記評価に少なくとも部分的に基づいて、前記１つ以上の基準搬送波が周波数領域において前記１つ以上の搬送波拡張部と隣接しているかどうかを判断することと、
前記モバイル機器の単一の高速フーリエ変換（ＦＦＴ）要素を使用して前記１つ以上の基準搬送波及び前記集約通信の前記１つ以上の搬送波拡張部を処理することと、を含み、
前記１つ以上の搬送波拡張部は、制御シグナリングオーバーヘッドを低減する１つ以上の自己内蔵型参照信号を含み、
前記１つ以上の保護帯域リソースブロックの各保護帯域リソースブロックは、前記１つ以上の基準搬送波に関連した少なくとも１つの周波数帯域と、前記１つ以上の搬送波拡張部又は前記１つ以上の搬送波セグメントに関連した少なくとも１つの周波数帯域と、の間に配置され、又は、前記集約通信の周辺部の周波数帯域に追加配置され、
前記自己内蔵型参照信号の少なくとも一部は、前記１つ以上の保護帯域リソースブロックの少なくとも一部を拡張する、方法。
【請求項１９】
前記１つ以上の自己内蔵型参照信号は、前記モバイル機器が少なくとも１つの制御チャネル又は少なくとも１つのデータチャネルのチャネル状態推定及び同期検波を実行することを可能にする１つ以上の機器特有の参照信号を含む、請求項１８に記載の方法。
【発明の詳細な説明】
【技術分野】
【０００１】
本開示は、一般に、無線ネットワーク及び電気通信の分野に一般に関する。更に詳しくは、１つの例示的な実施形態では、本開示は、無線（例えば、セルラー）ネットワーク内の拡張可能な搬送波リソースの構成及び使用法を説明する。
【背景技術】
【０００２】
（優先権）
本出願は、２０１２年１月３１日出願の、「ＭＥＴＨＯＤＳ  ＡＮＤ  ＡＰＰＡＲＡＴＵＳ  ＦＯＲ  ＥＦＦＩＣＩＥＮＴ  ＳＰＥＣＴＲＡＬ  ＵＳＡＧＥ  ＩＮ  ＥＸＴＥＮＳＩＢＬＥ  ＣＡＲＲＩＥＲ  ＤＥＰＬＯＹＭＥＮＴＳ」という名称の米国特許仮出願第６１／５９３，２１８号の優先権を主張する、２０１３年１月３０日出願の「ＭＥＴＨＯＤＳ  ＡＮＤ  ＡＰＰＡＲＡＴＵＳ  ＦＯＲ  ＥＦＦＩＣＩＥＮＴ  ＳＰＥＣＴＲＡＬ  ＵＳＡＧＥ  ＩＮ  ＥＸＴＥＮＳＩＢＬＥ  ＣＡＲＲＩＥＲ  ＤＥＰＬＯＹＭＥＮＴＳ」という名称の本出願と同一の出願人の同時係属中の米国特許出願第１３／７５４，６４７号の優先権を主張するものであり、上記の特許のそれぞれは、参照により全体が本明細書に組み込まれる。
【０００３】
（関連出願）
本出願は、２０１２年１月３１日出願の「ＭＥＴＨＯＤＳ  ＡＮＤ  ＡＰＰＡＲＡＴＵＳ  ＦＯＲ  ＥＮＨＡＮＣＥＤ  ＳＣＲＡＭＢＬＩＮＧ  ＳＥＱＵＥＮＣＥＳ」という名称の米国特許仮出願第６１／５９３，２０８号の優先権を主張する、２０１３年１月３０日出願の「ＭＥＴＨＯＤＳ  ＡＮＤ  ＡＰＰＡＲＡＴＵＳ  ＦＯＲ  ＥＮＨＡＮＣＥＤ  ＳＣＲＡＭＢＬＩＮＧ  ＳＥＱＵＥＮＣＥＳ」という名称の本出願と同一の出願人の同時係属中の米国特許出願第１３／７５４，６７３号に関するものであり、上記の特許のそれぞれは、参照により全体が本明細書に組み込まれる。
【０００４】
スペクトル使用法及び配置における初期の調査は、セルラーネットワークにおけるより大容量化及びより高データ転送速度化の増加の一途をたどる要求に対処するものである。その顕著な領域としては、既存のデータ及び制御情報伝送構造（全体を通して「搬送波」ともいう）の修正がある。例えば、３ＧＰＰ（第３世代パートナーシッププロジェクト）ロングタームエボリューション（ＬＴＥ）リリース１１の標準化に向けた取り組みは、後方互換性がない構成において部分的に構成された搬送波構造を対象としていた。
【０００５】
３ＧＰＰ  ＬＴＥリリース１１のコンテキストにおいて、搬送波設計に関する提案中のソリューション及び／又は既存のソリューションが、以下のシナリオ、即ち、（ｉ）同期搬送波（即ち、レガシー及びセグメント／拡張搬送波は、時間及び周波数が同期している）、及び、（ｉｉ）非同期搬送波（即ち、レガシー及びセグメント／拡張搬送波は、別個の同期処理が受信器において必要であるように時間及び／又は周波数が同期されていない）における動作をサポートするために必要である。より直接的には、搬送波同期は、受信器の処理負担に直接影響を与える。
【０００６】
一般的に、ネットワークオペレータは、既存のスペクトル配置を有するカバレッジエリア内での新しいスペクトルの追加に奮闘している。同期搬送波は全体的な受信器複雑性を低減する上で好ましいが、非同期搬送波の方が、配置しやすい。ネットワークカバレッジを向上させる既存のソリューションは、追加スペクトルの多数化に頼っているが、初期の調査は、集約帯域幅の拡大化による、可能であり得るスペクトル使用法の効率化及び／又は更なる最適化を対象としている。
【０００７】
したがって、ソリューションの改善が、無線（例えば、セルラー）ネットワーク内の構成及び拡張可能な搬送波リソースの使用法に必要とされている。理想的には、搬送波配置のそのようなソリューションは、エネルギー効率を最適化し、柔軟なスペクトル使用法を提供し、異種ネットワーク配置を可能にし、及び／又はマシンタイプ通信を可能にするべきである。
【発明の概要】
【０００８】
本開示は、とりわけ、効率的なスペクトル使用法を拡張可能な搬送波配置において提供する改良型装置及び方法を供給することにより上述した必要性を満たす。
【０００９】
第１に、効率的なスペクトル使用法を拡張可能な搬送波配置において提供する方法が開示される。一実施形態では、この方法は、１つ以上の基準搬送波及び１つ以上の搬送波拡張部又はセグメントを特定することと、特定された１つ以上の基準搬送波及び１つ以上の搬送波拡張部／セグメントを集約することと、集約された１つ以上の基準搬送波及び１つ以上の搬送波拡張部／セグメントをプロビジョニングすることと、を含む。
【００１０】
第２の実施形態では、この方法は、１つ以上の基準搬送波及び１つ以上の搬送波拡張部又はセグメントを特定することと、特定された１つ以上の基準搬送波及び１つ以上の搬送波拡張部又はセグメントを集約帯域に集約することと、集約された１つ以上の集約帯域をプロビジョニングすることと、を含む。
【００１１】
効率的なスペクトル使用法を拡張可能な搬送波配置において提供する基地局機器も開示される。一実施形態では、基地局は、セルラー（例えば、ＬＴＥ）ネットワーク内での動作が可能であり、かつ、１つ以上の基準搬送波及び１つ以上の搬送波拡張部／セグメントを集約するように構成された論理回路を含む。
【００１２】
コンピュータ可読装置が、更に開示される。一実施形態では、この装置は、少なくとも１つのコンピュータプログラムが配置された記憶媒体を含み、少なくとも１つのプログラムは、実行されたとき、効率的なスペクトル使用法を拡張可能な搬送波配置において提供するように構成される。
【００１３】
集積回路（ＩＣ）も開示される。一実施形態では、この集積回路は、効率的なスペクトル使用法を拡張可能な搬送波配置において提供するように構成される論理回路を含む。
【００１４】
無線システムが、更に開示される。一実施形態では、このシステムは、複数の基地局と、複数のモバイルユーザ機器と、を含む。基地局機器は、効率的なスペクトル使用法を拡張可能な搬送波配置において提供するように構成される。
【００１５】
モバイル機器を動作する方法が、更に開示される。一実施形態では、この方法は、モバイル機器により受信された搬送波を評価することと、１つ以上の受信モードを相応に選択的に調節することと、を含む。
【００１６】
効率的なスペクトル使用法を拡張可能な搬送波配置において提供する方法が開示される。一実施形態では、この方法は、１つ以上の基準搬送波及び１つ以上の搬送波拡張部又はセグメントを特定することと、特定された１つ以上の基準搬送波及び１つ以上の搬送波拡張部又はセグメントを集約帯域に集約することと、集約された１つ以上の集約帯域をプロビジョニングすることと、を含む。
【００１７】
一部の変形例では、特定は、少なくとも基地局のネットワークによりピアツーピア式で実行される。
【００１８】
他の変形例では、特定は、少なくとも集中ネットワーク権限により実行される。
【００１９】
更に他の変形例では、１つ以上の基準搬送波は、少なくとも１つの完全に構成された後方互換性を有する基準搬送波を含み、１つ以上の搬送波拡張部又はセグメントは、基準搬送波機能性のサブセットのみを含む。特定の実例では、１つの以上の搬送波拡張部又はセグメントは、１つ以上のセルに固有の参照信号なしに構成される。更に、特定の場合では、１つの以上の搬送波拡張部又はセグメントは、少なくとも１つの自己内蔵型参照信号に基づいて高度な制御シグナリングをサポートするように、更に構成される。
【００２０】
更に他の変形例では、１つ以上の搬送波拡張部又はセグメントは、１次同期シンボル（ＰＳＳ）又は２次同期シンボル（ＳＳＳ）で構成され、ＰＳＳ及びＳＳＳは、１つ以上の搬送波拡張部又はセグメントに関連した時間基準を示す。
【００２１】
特定の変形例では、１つの以上の搬送波拡張部又はセグメントは、復調参照信号及びチャネル状態情報参照信号で構成される。例えば、チャネル状態情報参照信号は、ユーザ機器が少なくとも１つの制御又はデータチャネルのチャネル推定及び同期検波を実行することを可能にする。
【００２２】
一部の実行例では、基準リソースに関連した周波数帯域と１つ以上の拡張可能なリソースとの間の少なくとも１つの以上のガードバンドのリソースブロックは、データトラヒックに再割当される。
【００２３】
効率的なスペクトル使用法をネットワークにおいて実行するように構成されたモバイル装置が開示される。一実施形態では、このモバイル装置は、受信器と、受信器と信号通信するプロセッサと、プロセッサと通信する論理回路と、を含む。１つの例示的な実施形態では、論理回路は、１つ以上の基準搬送波及び１つ以上の搬送波拡張部を特定し、１つ以上の基準搬送波が周波数領域において１つ以上の搬送波拡張部と隣接しているかどうか判断し、かつ、判断に少なくとも部分的に基づいて１つ以上の受信モードを選択するように構成される。
【００２４】
一部の変形例では、論理回路は、判断が１つ以上の基準搬送波は１つ以上の搬送波拡張部と隣接していないと示したとき、１つ以上の搬送波拡張部に関連した１つ以上の同期信号を受信するように、更に構成される。１つのそのような実施例では、１つの以上の搬送波拡張部は、１つ以上のユーザ機器固有参照信号を収容する。
【００２５】
他の変形例では、論理回路は、１つ以上の基準搬送波は１つ以上の搬送波拡張部と隣接していると判断されたとき、１つ以上の基準搬送波に関連した１つ以上の同期信号を受信するように、更に構成される。
【００２６】
更に他の実行例は、１つ以上の基準搬送波が１つ以上の搬送波拡張部と隣接しているとき、１つ以上の基準搬送波と１つ以上の搬送波拡張部とを含む帯域幅の周辺部にてガードバンドのリソースブロックを受信するように、更に構成することができる。
【００２７】
ロングタームエボリューション（ＬＴＥ）対応のセルラー無線通信ネットワークにおいて使用される基地局装置が開示される。一実施形態では、この基地局装置は、複数の無線機器と通信するように構成された無線インターフェースと、プロセッサと、少なくとも１つのコンピュータプログラムが記憶された記憶媒体を有するコンピュータ可読装置と、を含む。１つの例示的な実施形態では、少なくとも１つのコンピュータプログラムは、プロセッサ上で実行されたとき、基地局装置に、少なくとも１つの他の基地局装置により供給された１つ以上の基準搬送波を特定させ、少なくとも１つ以上の搬送波拡張部を生成させ、かつ、１つ以上の基準搬送波及び少なくとも１つ以上の搬送波拡張部を集約させるように構成される。
【００２８】
無線システムが開示される。一実施形態では、この無線システムは、セルラーネットワークサービスを複数のモバイルユーザ機器に供給するように構成された複数の基地局を含み、少なくとも第１の組の基地局機器は、少なくとも１つ以上の基準搬送波を供給するように構成され、第２の組の基地局機器は、少なくとも１つ以上の搬送波拡張部を供給するように構成され、第１と第２の組の基地局機器は異なる。
【００２９】
一部の変形例では、少なくとも１つ以上の搬送波拡張部及び少なくとも１つ以上の基準搬送波は、集約されたとき、連続帯域幅を形成する。特定の場合では、少なくとも１つ以上の搬送波拡張部及び少なくとも１つ以上の基準搬送波は、集約されたとき、不連続帯域幅を形成する。
【００３０】
無線システム内のモバイル機器を動作する方法が開示される。１つの例示的な実施形態では、この方法は、１つ以上の基準搬送波及び１つ以上の搬送波拡張部を特定することと、評価に少なくとも部分的に基づいて、１つ以上の基準搬送波及び１つ以上の搬送波拡張部を集約することと、集約された１つ以上の基準搬送波及び１つ以上の搬送波拡張部を単一の高速フーリエ変換（ＦＦＴ）要素で受信することと、を含む。
【００３１】
本開示の他の特徴及び利点は、添付図面、及び以下に記載されるような例示的実施形態の詳細な説明を参照することで、当業者によって即座に認識されるであろう。
【図面の簡単な説明】
【００３２】
【図１】本開示に係る、効率的なスペクトル使用法を拡張可能な搬送波配置において提供する一般化された方法の一実施形態を示す論理的流れ図である。
【図２】本開示の様々な原理を例示する、基準搬送波及び１つ以上の搬送波拡張部／セグメントが周波数領域において連続していない第１の例示的なシナリオのグラフィック表現である。
【図３】本開示の様々な原理を例示する、基準搬送波及び１つ以上の搬送波拡張部／セグメントが周波数領域において連続していない第２の例示的なシナリオのグラフィック表現である。
【図４】本開示の様々な原理を例示する、基準搬送波及び１つ以上の搬送波拡張部／セグメントが周波数領域において連続し、かつ、後方互換性が必要ではない第３の例示的なシナリオのグラフィック表現である。
【図５】本記載の原理によるユーザ又はクライアント装置の例示的な実施形態を示す。
【図６】本記載の原理による基地局装置の例示的な実施形態を示す。
【発明を実施するための形態】
【００３３】
全ての図は、２０１３年に作成され、２０１３年に最終更新されたものであり、その全ての著作権はＡｐｐｌｅ  Ｉｎｃ．が保持している。
【００３４】
ここで図面を参照するが、全体を通して、同様の番号は同様の部分を指す。
【００３５】
（概要）
１つの例示的な実施形態では、基準搬送波リソース及び１つ以上の拡張可能な搬送波リソースは、時間及び／又は周波数分離に少なくとも部分的に基づいて構成される。本記載の例示的な実施形態のコンテキストにおいて、基準搬送波リソース及び／又は１つ以上の拡張可能な搬送波リソースは、使用に向けて整合及び集約される。
【００３６】
１つの例示的な実行例では、１つ以上の拡張可能な搬送波リソースは、セル固有参照信号（ＣＲＳ）なしに、更に構成される。以下で更に詳細に説明するように、ＣＲＳ等価機能性を代替データ及び制御チャネルシグナリングから判断することができる。例えば、ＣＲＳの特定の特性を、例えば、復調参照信号（ＤＭ−ＲＳ）及びチャネル状態情報参照信号（ＣＳＩ−ＲＳ）の等価特性と置き換えることができる。
【００３７】
１つのそのような変形例では、１つ以上の拡張可能な搬送波リソースを基準搬送波と組み合わせて使用することができる。基準搬送波リソースと１つ以上の拡張可能な搬送波リソースとの間の時間／周波数同期が不十分である配置に関しては、１次同期シンボル（ＰＳＳ）及び／又は２次同期シンボル（ＳＳＳ）が更に１つ以上の拡張可能な搬送波リソース上で構成される。
【００３８】
先に触れたように、復調参照信号（ＤＭ−ＲＳ）及びチャネル状態情報参照信号（ＣＳＩ−ＲＳ）を、１つ以上の拡張可能な搬送波リソース上で、レガシーＣＲＳシグナリングに機能的等価性を与えるように構成することができる。例えば、モビリティ測定及び搬送波起動／起動解除測定をＣＲＳで行うよりはむしろ、そのような測定を適切に構成されたＤＭ−ＲＳ及び／又はＣＳＩ−ＲＳに基づいて行うことができる。
【００３９】
ＣＳＩ−ＲＳは、同じセル内のデータ／制御伝送との干渉を緩和するように構成されるが、ＣＳＩ−ＲＳは、隣接セルの搬送波リソース（基準リソース又は拡張可能なリソース）と干渉する場合がある。したがって、本記載の特定の干渉制御技法（例えば、消音、重なりなしの割当てなど）が、セル間のＣＳＩ−ＲＳ干渉を低減するために必要に応じて使用される。
【００４０】
最後に、更に別の変形例では、基準リソースと１つ以上の拡張可能なリソースと間のガードバンドのリソースブロックをデータトラヒックに再割当することができる。データトラヒックへのガードバンドのリソースブロックの再割当は、スペクトル利用効率を顕著に増大させる。
【００４１】
（搬送波リソースの構成及び使用法）
先述したように、３ＧＰＰ  ＬＴＥリリース１１のコンテキストにおいて、搬送波設計に関する提案したソリューション及び／又は既存のソリューションが、同期及び非同期の両方の搬送波配置をサポートするために必要である。したがって、１つの例示的な使用シナリオでは、ネットワークは、セル固有参照信号なし（ＣＲＳなし）の動作に向けて構成される。一部の状況では、ネットワークは、自己内蔵型参照信号での高度な制御シグナリング及び同期及び他の参照信号形式の動的構成可能性を更にサポートすることができる。
【００４２】
本明細書で更に詳細に説明するように、搬送波形式が、拡張搬送波及び搬送波セグメントに向けて開示される。本明細書で使用するとき、「基準搬送波」という用語は、完全に構成された後方互換性を有する搬送波を指す。本明細書で使用するとき、「拡張搬送波」という用語は、単一の独立型搬送波として動作することができない搬送波を指し、かなり、拡張搬送波は、少なくとも１つの完全に構成された搬送波を含む成分搬送波セットの一部でなければならない。同様に、本明細書で使用するとき、「搬送波セグメント」という用語は、互換性のある搬送波を対象とする更なる帯域幅拡張部を指す。搬送波セグメントは、搬送波集約方式を補完する後方互換性を有する方法で新しい伝送帯域幅が必要である配置事例において周波数リソースを利用する機構部となる。
【００４３】
本開示の状況において、また、搬送波セグメント内の小さい転送ブロックサイズも可能にしながら、レガシーＰＤＣＣＨ方式には必要とされると思われる更なる物理ダウンリンク制御チャネル（ＰＤＣＣＨ）伝送オーバヘッドを低減する様々な方式が開示される。搬送波セグメントは、成分搬送波内の更なるリソースブロックの集約を可能にし、それでも尚、元の搬送波帯域幅上で後方互換性を保持する。搬送波セグメントは、完全に構成された搬送波の近傍とすることができ、及び／又は完全に構成された搬送波にリンクさせることができる。１つの当該の実施形態では、搬送波セグメントは、同期信号、システム情報、及びページング情報を含まない。
【００４４】
端的に言えば、ＣＲＳなしの動作は、ネットワーク運用に向けて複数の利点を提供する。第１に、ＣＲＳなしの搬送波形式は、ＣＲＳ伝送に起因する全体的な干渉（セル間干渉及びセル内の干渉の両方）を低減する。更に、ＣＲＳなしではない場合にはＣＲＳ動作に向けて留保されるリソースを、例えば、データ又は制御トラヒックに割り当てることができる。最後に、ＣＲＳなしの搬送波タイプは、全体的な電力消費量を低減することができる（ＣＲＳ伝送は、セルが完全にロードされていないときでも常にオンである）。
【００４５】
残念ながら、ＣＲＳなしの動作には、対処しなければならない特定の欠陥がある。具体的には、ＣＲＳは、従来、チャネル推定、モビリティ測定、及び時間／周波数追跡を含むが、これらに限定されない、複数の重要な機能を取り扱う。したがって、前出の機能の代案ソリューションが、ＣＲＳなしの動作には必要である。
【００４６】
一実施形態は、とりわけ、自己内蔵型参照信号（ＲＳ）に基づいてデータ伝送及び高度な制御シグナリングを使用してこれらの欠陥に対処する。ＣＲＳを拠り所とする従来技術ソリューションよりはむしろ、自己内蔵型ＲＳをチャネル推定に使用することができる。例えば、１つの当該の実施形態では、伝送モードは、復調参照信号（ＤＭ−ＲＳ）を基本とする。他の変形としては、例えば、機器固有ＲＳを挙げることができる。
【００４７】
更に、ＣＲＳなしの搬送波は、構成可能なシグナリング構造、例えば、１次同期シグナリング（ＰＳＳ）、２次同期シグナリングなど）をもたらすべきである）。そのような構成可能性は、配置信号などに基づいて必要であろう。例えば、ＰＳＳ／ＳＳＳの伝送は、時間及び／又は周波数同期能力を与えることができる。したがって、密接に同期されるシステムは、全体的にＰＳＳ／ＳＳＳ伝送を低減又は排除することができる。
【００４８】
基準搬送波、拡張搬送波、及び搬送波セグメントの様々な構成を更に本明細書で説明する。具体的には、様々な実施形態を（例えば、相対的なスペクトル位置、時間及び／又は周波数整合などに基づいた）条件及び／又は使用シナリオに関して説明する。
【００４９】
（方法）
図１は、本記載の様々な原理に従った、効率的なスペクトル使用法を拡張可能な搬送波配置において提供する一般化された方法１００の一実施形態を示す。
【００５０】
方法１００のステップ１０２にて、１つ以上の基準搬送波及び１つ以上の搬送波拡張部／セグメントを特定する。１つの手法では、搬送波特定を基地局機器によりピアツーピア式に実行する。他の実施形態では、搬送波特定を集中ネットワーク権限により実行する。例えば、３ＧＰＰネットワーク内では、ＬＴＥ  ｅＮＢ間のピアツーピア通信は、Ｘ２インターフェースを介して実行され、ＮｏｄｅＢ間（及びＮｏｄｅＢとｅＮＢとの間）の通信は、コアネットワークを介して処理される。他のネットワーク構成（例えば、異種ネットワークなど）では、基地局間の通信には、コアネットワークを介したルーティングが必要である場合がある。
【００５１】
１つの構成では、基地局のネットワークは、少なくとも１つの完全に構成された後方互換性を有する基準搬送波、及び、基準搬送波機能性のサブセットのみを提供する１つ以上の搬送波拡張部／セグメントを供給する。１つのそのような実施例では、１つ以上の搬送波拡張部／セグメントは、１つ以上のセル固有参照信号（ＣＲＳ）を欠く。１つ以上の搬送波拡張部／セグメントは、復調参照信号（ＤＭ−ＲＳ）のみを供給する。ＣＲＳとは異なり、ＤＭ−ＲＳは、１つ以上の対応されたユーザ機器（ＵＥ）装置に固有のものである。
【００５２】
方法１００のステップ１０４にて、特定された１つ以上の基準搬送波及び１つ以上の搬送波拡張部／セグメントを整合及び／又は集約する。一般的に、整合のプロセスは、１つ以上の搬送波拡張部／セグメントを時間及び／又は周波数においてずらすことを含む。１つの例示的な実施形態では、１つ以上の基準搬送波及び１つ以上の搬送波拡張部／セグメントを集約帯域幅へと結合する。他の実施形態では、１つ以上の基準搬送波及び１つ以上の搬送波拡張部／セグメントの選択されたもののみを整合及び／又は集約する。
【００５３】
整合及び集約の共通の理由としては、ネットワーク使用法、ネットワーク最適化、スペクトル効率、クライアント機器などの母集団に対する処理負荷の低減などを挙げることができるが、これらに限定されない。例えば、一実行例では、可用帯域直近にある基準搬送波は１つ以上の搬送波拡張部／セグメントを組み込むことができ、その結果、全体的なネットワーク帯域幅が改善される。
【００５４】
別の変形例では、集約帯域幅は、全体的な受信を向上させるように更にまとめられる。例えば、１つの当該の実施形態では、集約帯域幅の１つ以上の部分が、セル固有参照信号（ＣＲＳ）に向けて割り当てられるか又は割当て解除される。ＣＲＳリソースを除去すると、ネットワーク運用に向けて複数の利点を得ることができる。第１に、ＣＲＳなしの搬送波形式は、ＣＲＳ伝送に起因する全体的な干渉（セル間及びセル内の両方の干渉）を低減する。
【００５５】
更に、ＣＲＳなしではない場合にはＣＲＳ動作に向けて留保されるリソースを、例えば、データ又は制御トラヒックに割り当てることができる。最後に、ＣＲＳなしの搬送波タイプは、全体的な電力消費量を低減することができる（ＣＲＳ伝送は、セルが完全にロードされていないときでも常にオンである）。しかしながら、ＣＲＳリソースの特定の部分が、チャネル推定、モビリティ測定、及び時間／周波数追跡などの計算を支援するために最小限必要とされる。
【００５６】
状況によっては、ＣＲＳリソースは、代替データ及び制御チャネルシグナリングにより提供される等価機能性と置き換えられる。例えば、ＣＲＳの特定の特性を、例えば、復調参照信号（ＤＭ−ＲＳ）の特性と置き換えることができる。ＤＭ−ＲＳは、クライアント機器に特有であり、したがってクライアント機器パフォーマンスに基づいて最適化することができる。例えば、非常に高い受信品質を有する機器は、より少ないＤＭ−ＲＳリソースで動作することができる。同様に、使用量が相対的に低い期間中、ＤＭ−ＲＳ動作に向けるリソースの少数化が可能である。
【００５７】
他のシナリオでは、集約帯域幅の１つ以上の部分がガードバンドにまとめられる（即ち、ガードバンドは、トラヒックを伝達せず、単に干渉の影響を低減する役目をするだけである）。ガードバンドを集約帯域幅の縁部に入念に位置決めすることにより、受信器複雑性及び処理負担を顕著に低減することができる。例えば、（不連続帯域幅ではなくて）連続した範囲の帯域幅の程度を提供すると、送受信器動作（単一の受信器フィルタのみなど）及び処理（単一の高速フーリエ変換（ＦＦＴ）だけ）が大幅に簡素化される。残念ながら、ガードバンド配置には、常に可能でありえない細かいタイミング及び周波数同期が必要であり、したがって、ガードバンド構成の利点は、特定の事例において、全体的な費用又は同期の実現可能性とバランスを取る必要がある場合がある。
【００５８】
別の当該の実施形態では、集約帯域幅の１つ以上の部分が、１次同期シンボル（ＰＳＳ）及び２次同期シンボル（ＳＳＳ）に割り当てられる。ＰＳＳ及びＳＳＳは、時間基準を提供することによりタイミングを支援するが、時間基準の提供がなければデータ及び制御トラフィックには使用されない。したがって、ＰＳＳ及びＳＳＳは、良好に同期されるシステムについては低減することができるが、同期が不良である場合、全体的なパフォーマンス向上には、ＰＳＳ及びＳＳＳシグナリングに割り当てられるリソースの顕著な多数化が必要とされる場合があることが認識されている。
【００５９】
方法１００のステップ１０６にて、１つ以上の基準搬送波及び１つ以上の搬送波拡張部／セグメントを搬送波整合／集約に従ってプロビジョニングする。
【００６０】
（例示的動作）
端的に言えば、３ＧＰＰ  ＬＴＥリリース１１などの無線規格において新しい搬送波タイプの既存の提案は、レガシー搬送波との後方互換性を有する必要はない。物理ダウンリンク制御チャネル（ＰＤＣＣＨ）、セル固有参照信号（ＣＲＳ）、物理ブロードキャストチャネル（ＰＢＣＨ）、１次同期信号（ＰＳＳ）、２次同期信号（ＳＳＳ）などのレガシー構成物は、異なる割り当ての仕方、異なるスケジューリングの仕方を行い及び／又はまったく除去することができる。残念ながら、ダウンリンク制御チャネル内において更なる向上がなければ、このような修正は、レガシー搬送波発のクロス搬送波スケジューリングに頼らなければならない（即ち、レガシー搬送波を使用して後方互換性がない搬送波の特異体質を示さなければならない）。このクロス搬送波スケジューリングは、無線技術分野の当業者に明白となる複数の理由から望ましくない。
【００６１】
これとは対照的に、本開示により提供される様々なソリューションにより、搬送波拡張部／セグメントは更なるリソースブロックを成分搬送波に追加すると同時に、それでも有利なことに１次搬送波の後方互換性を保持することができるという点において、既存の提案に対して顕著な改善が得られる。開示される搬送波拡張部／セグメントは、利用可能な周波数ブロックのサイズが１．４ＭＨｚ、３ＭＨｚ、５ＭＨｚ、１０ＭＨｚ、１５ＭＨｚ、及び２０ＭＨｚのプロビジョニングされた帯域幅に適合しない場合など実際的な配置において有用である。実際的な配置シナリオでは、基準搬送波と搬送波拡張部／セグメントとの間の周波数間隙は、過度に大きくなると考えられる。このような配置において、搬送波拡張部／セグメントには、更なる制御シグナリングオーバヘッドで処理しなければならない周波数同期及びスロット／サブフレーム整合（時間）が更に必要であると考えられる。
【００６２】
一実施形態では、搬送波拡張部／セグメントは、（広帯域の共通の参照信号である）ＣＲＳなしに追加することができ、その代わりに（狭帯域及び専用参照信号である）ＵＥ固有参照信号を介してＣＲＳ機能性を提供する。動作中、ＵＥ参照信号（例えば、復調参照信号（ＤＭ−ＲＳ）、チャネル状態情報参照信号（ＣＳＩ−ＲＳ）など）が、制御チャネル及びデータチャネルのチャネル推定及び同期検波に使用される。一部の実施形態では、ＣＲＳ（又は類似の広帯域の同期信号）又はその省略されたバージョンは、モビリティ管理、ハンドオーバーのトリガ、及び搬送波動作の起動及び起動解除に使用することができる経路損失（及び／又は参照信号受信電力（ＲＳＲＰ）、参照信号受信品質（ＲＳＲＱ））測定に搬送波拡張部／セグメント上で必要とされる場合がある。
【００６３】
基準搬送波及び１つ以上の搬送波拡張部／セグメントは、例えば、シンボル、スロット、サブフレームなどに基づいて時間において整合させることができる。直交周波数分割多元接続（ＯＦＤＭＡ）動作については、タイミング誤差は、サイクリックプレフィックスにより解決することができる、即ち、サイクリックプレフィックスが長いほど、耐えることができるタイミング誤差が大きい。しかしながら、一般的に、サイクリックプレフィックス長は、システムの制約事項であり、したがって、３ＧＰＰ  ＬＴＥのコンテキストにおいて、基準搬送波と１つ以上の搬送波拡張部／セグメントとの間のタイミング同期は、サイクリックプレフィックス容量を超えることができない。より直接的に、モバイル機器は、サイクリックプレフィックスを使用して搬送波拡張部／セグメントを共通の時間基準まで論理的に進める又は遅らせるのに使用することができる。それぞれの搬送波拡張部／セグメントは異なる数のサイクリックプレフィックス（及びサフィックス）ビットを有することができるが、サイクリックプレフィックスビットを除去することにより、それぞれの搬送波は、共通の時間基準に効果的に時間移動される。例えば、時間的に遅く到着した搬送波拡張部／セグメントは、他の搬送波拡張部／セグメントより多いサイクリックプレフィックスビットを有することになる。余分のサイクリックプレフィックスビットを除去することにより、遅れて到着する搬送波拡張部／セグメントは、他の搬送波拡張部／セグメントに時間整合される。
【００６４】
時間整合は、特定の動作、例えば、ハイブリッド自動再送要求（ＨＡＲＱ）タイミング及び動作、並びに、基準搬送波及び搬送波拡張部／セグメントのリソース割り当てを簡素化する。特に、確実に基準搬送波及び搬送波拡張部／セグメントの両方が同期されるようにすることにより、集約帯域幅は、共通の時間基準を有すると処理することができる。共通の時間基準は、フーリエ変換を実行するために必要であり、したがって、（各々の異なった時間基準について異なったＦＦＴを必要とするのではなく、）単一のＦＦＴ要素を使用して、同期基準搬送波及び関連の１つ以上の搬送波拡張部／セグメントを処理することができる。
【００６５】
同様に、周波数整合は、送受信器動作を大幅に簡素化する。フーリエ変換には規則正しい副搬送波間隔が必要であることから、類似の副搬送波間隔を維持することにより、確実に、単一のＦＦＴを実行することができるようになる。１つの当該の実施形態では、周波数連続基準搬送波と搬送波セグメント／拡張部との間の周波数分離は、既存のＬＴＥ仕様に一致した３００ｋＨｚの整数倍数が得られるように構成される。同様に、中心周波数は、ＬＴＥチャネルラスターの整数倍数（即ち、１００ｋＨｚ）である。前出の離間幅が単にＬＴＥに仕様を適合するようにのみ選ばれることが更に認識され、開示する実施形態が有用である他の無線技術規格は、異なる離間幅を有することができる。
【００６６】
更に、適切な周波数ではない配置については、その後、センター周波数を整合させるために周波数オフセットを指定することができる。１つの当該の実施形態では、オフセットを予め定義し、ＲＲＣメッセージを介して知らせることができる。不連続的搬送波間のタイミング同期及び周波数同期の方式を提供することにより、搬送波拡張部／セグメント上でのＰＳＳ及びＳＳＳのプロビジョニング及び使用を大幅に低減することができる。
【００６７】
周波数領域内の基準搬送波及び１つ以上の搬送波拡張部／セグメントの相対位置によって、少なくとも３つの異なった構成／使用法シナリオ、即ち、（ｉ）基準搬送波及び１つ以上の搬送波拡張部／セグメントが周波数領域において連続的ではない場合、（ｉｉ）基準搬送波及び１つ以上の搬送波拡張部／セグメントが周波数領域において連続的である場合、（ｉｉｉ）基準搬送波及び１つ以上の搬送波拡張部／セグメントが周波数領域において連続的であり、ガードバンド動作を修正することができる場合を説明する。
【００６８】
以下で論じる内容では、搬送波（基準及び拡張部／セグメント）は、周波数帯域の相対位置に関係なく、時間及び周波数領域において十分に同期される。更に、囲まれた数字は２つの搬送波拡張部／セグメントの例示的な構成を提示するが、提案する方式を任意の数の搬送波拡張部／セグメントに拡張することができる。更に、ＬＴＥシステムのコンテキストにおいて、リソースブロック（例えば、基準搬送波、搬送波拡張部／セグメント及び任意選択的なガードバンド）の集約された個数は、１１０個未満でなければならない。この制限は、既存のＬＴＥ上の制限によるものであり、この既存の制限は、他の無線技術、及び、おそらくＬＴＥの今後の具体案には適用されないであろう。
【００６９】
最後に、本明細書で説明するように、搬送波拡張部／セグメントは、セル固有参照信号を維持しない。むしろ、搬送波拡張部／セグメントは、復調参照信号（ＤＭ−ＲＳ）をもっぱら制御チャネル及びデータチャネルのチャネル推定及び同期検波に使用する。１つのそのような変形例では、搬送波拡張部／セグメントは、物理ダウンリンク制御チャネル（ＰＤＣＣＨ）を使用するように、更に構成される。
【００７０】
図２をここで参照すると、第１の例示的なシナリオが例示されており、基準搬送波及び１つ以上の搬送波拡張部／セグメントは、周波数領域において連続的ではない。図示するように、チャネル分離が過度に大きい場合、それぞれの搬送波は、時間／周波数同期信号（ＰＳＳ／ＳＳＳ）を含まなければならず、ガードバンドを制御／データ伝送に使用することはできない。更に、それぞれの搬送波拡張部／セグメントは、ＵＥ固有参照信号（ＤＭ−ＲＳ及びＣＳＩ−ＲＳ）を収容しなければならない。ＣＳＩ−ＲＳは、搬送波拡張部／セグメントの起動／起動解除をトリガする際に有用であり得るチャネル状態情報（ＣＳＩ）測定及び経路損失測定に使用することができる。
【００７１】
図３は、基準搬送波及び１つ以上の搬送波拡張部／セグメントが連続的である第２の例示的なシナリオを示す。図示するように、チャネル分離は、更なる時間／周波数同期が新しい搬送波形式に必要とされる範囲で過度に大きくはない。その結果として、１つ以上の搬送波セグメント／拡張部には、異なったＰＳＳ／ＳＳＳは不要である。このシナリオでは、ＵＥ固有参照信号及びＣＳＩ−ＲＳは、搬送波拡張部／セグメント上に構成されるが、ガードバンドのリソースブロックは、まだ帯域幅を通して分散状態である。図３には、スペクトルフィルタリング及び放射マスキングがレガシー互換性（例えば、ＬＴＥ）に従って実行されるので特に後方互換性の含意はない。
【００７２】
図４をここで参照すると、後方互換性が必要とされない場合、集約帯域幅は、ガードバンドのリソースブロックを帯域幅の周辺部に移動させるように、更に構成することができる。図４に示すように、搬送波の縁部でのスペクトルフィルタリング及び放射マスキングは、集約伝送帯域幅のサイズに比例して増大する。ガードバンドサイズのこの比例した増加により、確実に、レガシーＵＥが間断なくまだ動作することができるようになる。代替変形例では、レガシーＵＥが周波数のサブセットにのみ制限される（即ち、レガシーＵＥは、集約帯域幅の中心部内にのみスケジューリングされる）場合、ガードバンドサイズを減少させることができる。（図３の場合と同様に）図４では、１つ以上の搬送波拡張部／セグメントは、ＰＳＳ／ＳＳＳが不要であり、かつ、例えば、チャネル推定などにはもっぱらＵＥ固有参照信号及びＣＳＩ−ＲＳに頼る。ＵＥ固有参照信号及びＣＳＩ−ＲＳは、ガードバンド及び１つ以上の搬送波拡張部／セグメント上に更に拡張することができる。集約された総帯域幅は、仮想化された広帯域搬送波として動作することができる。
【００７３】
より一般的には、２つの搬送波セグメントが１０ＭＨｚの帯域幅を有する基準搬送波の隣に帯域幅の５ＭＨｚで配置されるシナリオについて。集約された搬送波は、搬送波セグメントを基準帯域の左側及び右側に追加することにより、２０ＭＨｚの搬送波として構成することができる。更に、集約された搬送波は、レガシーガードバンドを除去して左右のガードバンドを大型化することにより、２０ＭＨｚのレガシー搬送波を遵守することができる。
【００７４】
結果的に得られた組み合わせが所望のＲＦ及びスペクトル発光挙動（レガシーか否かを問わず）に従ったままである限り、ガードバンド及び伝送帯域の他の構成も可能であることが（本開示が示されたとき）当業者により容易に認識されるであろう。
【００７５】
（例示的なユーザ機器（ＵＥ）装置）
図５をここで参照すると、本開示の方法を実行する際に有用な例示的なクライアント又はＵＥ装置５００が例示されている。本明細書で使用するとき、用語「クライアント」及び「ＵＥ」は、セルラー電話、スマートフォン（例えば、ｉＰｈｏｎｅ（商標）など），例えばｉＭａｃ（商標）、Ｍａｃ  Ｐｒｏ（商標）、Ｍａｃ  Ｍｉｎｉ（商標）、又は、Ｍａｃ  Ｂｏｏｋ（商標）など無線対応パーソナルコンピュータ（ＰＣ）、及び、デスクトップ、ラップトップ、又はその他を問わず、ミニコンピュータ、並びに、ハンドヘルドコンピュータ、ＰＤＡ、個人用メディア装置（ＰＭＤ）などのモバイル機器，又は上記の任意の組み合わせが含まれるが、これらに限定されない。拡張可能な搬送波リソースの構成及び使用法は、好ましくはソフトウェア内で実行されるがファームウェア及び／又はハードウェアの実施形態も想定されており、その後、この装置は、図５に関して本明細書で説明する。
【００７６】
ＵＥ装置５００は、無線モデム又は送受信器、デジタル信号プロセッサ、マイクロプロセッサ、フィールドプログラマブルゲートアレイ、又は、１つの以上の基板５０８上に実装される複数個の処理構成要素などの、プロセッササブシステム５０５を含む。この処理サブシステムはまた、内部キャッシュメモリも含み得る。処理サブシステム５０５は、例えば、ＳＲＡＭ、フラッシュ、及びＳＤＲＡＭ構成要素を含み得るメモリを含む、メモリサブシステム５０７に接続される。このメモリサブシステムは、当該技術分野において周知のようにデータアクセスを促進するために、１つ以上のＤＭＡタイプのハードウェアを実装することができる。例示する実施形態では、処理サブシステムは、適切な基準搬送波及び１つ以上の搬送波拡張部／セグメントを判断してその動作を構成するサブシステム又はモジュールを更に含む。これらのサブシステムは、ソフトウェア又は処理サブシステムに結合されるハードウェアにおいて実行することができる。あるいは、別の変形例では、サブシステムは、デジタルベースバンドに直結することができる。
【００７７】
（例示的な基地局（ＢＳ）装置）
図６をここで参照すると、本開示の方法を実行する際に有用な例示的なサーバ又は基地局（ＢＳ）装置６００が例示されている。本明細書で使用するとき、用語「サーバ」及び「ＢＳ」は、基地局（例えば、ＮｏｄｅＢ、ｅＮｏｄｅＢなど）、アクセスポイント、継電器場などが含まれるが、これらに限定されない。１つ以上の基準搬送波及び／又は１つ以上の搬送波拡張部／セグメントの構成は、好ましくはソフトウェア内で実行されるが、ファームウェア及び／又はハードウェア実施形態も想定されており、この装置は、その後、図６に関して本明細書で説明する。
【００７８】
ＢＳ装置６００は、無線モデム又は送受信器、デジタル信号プロセッサ、マイクロプロセッサ、フィールドプログラマブルゲートアレイ、又は、１つの以上の基板６０８上に実装される複数個の処理構成要素などの、プロセッササブシステム６０５を含む。この処理サブシステムはまた、内部キャッシュメモリも含み得る。処理サブシステム６０５は、例えば、ＳＲＡＭ、フラッシュ、及びＳＤＲＡＭ構成要素を含み得るメモリを含む、メモリサブシステム６０７に接続される。このメモリサブシステムは、当該技術分野において周知のようにデータアクセスを促進するために、１つ以上のＤＭＡタイプのハードウェアを実装することができる。例示する実施形態では、処理サブシステムは、本明細書で先述したように、搬送波の整合及び集約に向けて様々な方式を実行するサブシステム又はモジュールを更に含む。これらのサブシステムは、ソフトウェア又は処理サブシステムに結合されるハードウェアにおいて実行することができる。あるいは、別の変形例では、サブシステムは、デジタルベースバンドに直結することができる。
【００７９】
本開示の特定の実施形態が、方法のステップの特定のシーケンスの観点から説明されているが、これらの説明は、本記載のより広範な諸原理の例示に過ぎないものであり、特定の適用によって、必要に応じて修正することができる点が、認識されるであろう。特定のステップは、特定の状況下では、不必要又は任意選択とすることができる。更には、特定のステップ又は機能性を、開示される実施形態に追加することができ、あるいは２つ以上のステップの実行の順序を、置き換えることもできる。全てのそのような変更形態は、本開示の範囲内に包含され、かつ、本開示で特許請求されると見なされる。
【００８０】
上記の詳細な説明は、様々な実行例に適用される新奇な特徴を示し、説明し、指摘しているが、例示された機器又はプロセスの形態及び詳細の様々な省略、置換、並びに変更を、本記載の原理から逸脱することなく、当業者によって実施することができる点が、理解されるであろう。前出の説明は、本記載の原理を実行する、現在企図される最良の形態である。本説明は、限定することを決して意図するものではなく、むしろ、一般的原理の例示として解釈されるべきである。本開示の範囲は、特許請求の範囲に準拠して決定されるべきである。
【図１】
0005908121.tif 000002
【図２】
0005908121.tif 000003
【図３】
0005908121.tif 000004
【図４】
0005908121.tif 000005
【図５】
0005908121.tif 000006
【図６】
0005908121.tif 000007